(57)【特許請求の範囲】
【請求項１】
水中の魚を捕獲するための魚捕獲用銛であって、
銛本体と、
前記銛本体に連結する棹部と、
を備え、
前記銛本体は
捕獲する魚を突き刺す捕獲部と、
前記捕獲部に一体的に取り付けられ、捕獲する魚を誘引するための餌を取り付け可能な餌部とを有する
ことを特徴とする魚捕獲用銛。
【請求項２】
前記捕獲部は尖った先端部から末端部へ末広がりに形成されており、
前記餌部は前記捕獲部の前記先端部に固着されている
ことを特徴とする請求項１に記載の魚捕獲用銛。
【請求項３】
前記餌部は、前記捕獲部と共に捕獲する魚を突き刺し可能に、前記捕獲部の外面に沿うように形成されている
ことを特徴とする請求項２に記載の魚捕獲用銛。
【請求項４】
前記餌部は、末端部に取り付ける餌が抜けないように保持する返し止め部を有する
ことを特徴とする請求項１乃至３のいずれかに記載の魚捕獲用銛。
【請求項５】
前記捕獲部は内側の対向面に掛け渡された掛け渡し部を有し、前記棹部は前記掛け渡し部にねじ止めされている
ことを特徴とする請求項１乃至４のいずれかに記載の魚捕獲用銛。
【請求項６】
前記棹部は、互いに形態の異なる複数の前記捕獲部の各々に共通にねじ止め可能であることを特徴とする請求項５に記載の魚捕獲用銛。
【請求項７】
前記棹部の先端部に、操作者が手放した前記銛本体及び前記棹部を制御するためのひもが連結されており、前記ひもは前記棹部の内部を通る
ことを特徴とする請求項１乃至６のいずれかに記載の魚捕獲用銛。
【請求項８】
前記棹部を投射可能に保持する銃身体を備え、
前記銃身体は、
前記銛本体及び前記棹部を前記銃身体に対して投射するための駆動手段と、
前記駆動手段を駆動するためのスイッチ手段と
を有する
ことを特徴とする請求項１に記載の魚捕獲用銛。
【発明の詳細な説明】
【技術分野】
【０００１】
本発明は、水中の魚を捕獲するための魚捕獲用銛に係り、特に、例えば海中の魚を餌で誘引しながら捕獲するための魚捕獲用銛に関する。
【背景技術】
【０００２】
狩り人が海中に潜り、銛を用いて魚を個別的に捕獲することは、スリルがありレジャー的にも魅力的なことである。
【０００３】
銛を用いて魚を捕獲しようとする場合、まず眼前に泳いでいる魚を探し、見つけた魚に対し銛の投げ込みが可能な射程距離まで接近し、銛を魚に打ち込むことが行われる。
【先行技術文献】
【特許文献】
【０００４】
【特許文献１】特開２００８−０２２８０９号公報
【特許文献２】特開２０１０−２３９９３０号公報
【発明の概要】
【発明が解決しようとする課題】
【０００５】
しかしながら、銛を用いて魚を捕獲しようとする場合、従来は、銛自体には魚を狩り人側へ誘引する作用は何もなかった。
【０００６】
このために、例えば、魚が岩陰等に潜んでいて外部から見えない場合等においては、魚が岩陰から出てくるのを待つしかなかった。
【０００７】
また、魚が狩り人の近い位置の前を泳いで行くのを発見しても、その魚が眼前を素通りして過ぎて行く場合には、銛を打ち込む上での一瞬のタイミングを逃すともうその魚は去ってゆき、積極的にその魚の関心を誘い出すことができなかった。
【０００８】
そこで、本発明の目的は、上記従来技術の有する問題点を解消し、水中の魚を積極的に誘引する作用を備えた魚捕獲用銛を提供することにある。
【課題を解決するための手段】
【０００９】
上記目的を達成するために、本願発明に係る魚捕獲用銛は、水中の魚を捕獲するための魚捕獲用銛であって、銛本体と、前記銛本体に連結する棹部と、を備え、前記銛本体は捕獲する魚を突き刺す捕獲部と、前記捕獲部に一体的に取り付けられ、捕獲する魚を誘引するための餌を取り付け可能な餌部とを有することを特徴とする。
【００１０】
また、前記捕獲部は尖った先端部から末端部へ末広がりに形成されており、前記餌部は前記捕獲部の前記先端部に固着されていることを特徴とする。
【００１１】
また、前記餌部は、前記捕獲部と共に捕獲する魚を突き刺し可能に、前記捕獲部の外面に沿うように形成されていることを特徴とする。
【００１２】
また、前記餌部は、末端部に取り付ける餌が抜けないように保持する返し止め部を有することを特徴とする。
【００１３】
また、前記捕獲部は内側の対向面に掛け渡された掛け渡し部を有し、前記棹部は前記掛け渡し部にねじ止めされていることを特徴とする。
【００１４】
また、前記棹部は、互いに形態の異なる複数の前記捕獲部の各々に共通にねじ止め可能であることを特徴とする。
【００１５】
また、前記棹部の先端部に、操作者が手放した前記銛本体及び前記棹部を制御するためのひもが連結されており、前記ひもは前記棹部の内部を通ることを特徴とする銛。
【００１６】
また、前記棹部を投射可能に保持する銃身体を備え、前記銃身体は、前記銛本体及び前記棹部を前記銃身体に対して投射するための駆動手段と、前記駆動手段を駆動するためのスイッチ手段とを有することを特徴とする。
【図面の簡単な説明】
【００１７】
【図１】本願発明に係る魚捕獲用銛の一実施形態を示す断面図。
【図２】棹部の内部に組み込まれるひもを示す図。
【図３】銛本体と棹部との連結関係を示す断面図。
【図４】餌部に餌魚を取り付けた状態を示す図。
【図５】本願発明に係る魚捕獲用銛の他の実施形態を示す断面図。
【図６】海中で操作者が本願発明に係る魚捕獲用銛を使用する状態を示す図。
【図７】本願発明に係る魚捕獲用銛の他の実施形態を示す断面図。
【発明を実施するための形態】
【００１８】
以下、図面を参照して本願発明の一実施形態に係る魚捕獲用銛１について説明する。
【００１９】
図１において、魚捕獲用銛１は、銛本体２と棹部３とひも４とを備えている。銛本体２は捕獲する補角魚１７（図６）を突き刺すための捕獲部５と、捕獲部５に一体的に取り付けられ、捕獲する魚を誘引するための餌魚１６（図６）を取り付け可能な餌部６とを有する。
【００２０】
捕獲部５は尖った先端部から末端部へ末広がり円錐状に形成されている。捕獲部５は金属材あるいはセラミック材で形成することが可能である。
【００２１】
餌部６は捕獲部５の先端部に溶接等によって固着されている。餌部６は一本の鋭い針状あるいは釣り針状に形成されており、その末端部には取り付ける餌魚１６が抜けないように保持するための鉤状の返し止め部７が形成されている。餌部６は、捕獲部６と共に捕獲する魚を突き刺すことも可能であり、この場合、図１に示すように餌部６は、円錐状の捕獲部５の外面に沿うように形成されている。
【００２２】
図２に示されるように、餌魚１６が餌部６に返し止め部７を介して保持される。餌魚１６の種類や大きさは、捕獲を狙う補角魚１７の種類によって選択すればよい。
【００２３】
図３に示されるように、捕獲部５は内側の対向する壁面に軸方向に直交する方向に掛け渡され溶接等に取り付けられた掛け渡し部８を有する。掛け渡し部８には負ねじ８ａが形成されている。また、棹部３の先端部の外側面には、掛け渡し部８に形成された負ねじ８ａに螺合する正ねじ３ａが形成されている。棹部３の正ねじ３ａが掛け渡し部８の負ねじ８ａに螺合することによって、棹部３が銛本体２の捕獲部５に取り付けられる。このように、棹部３と銛本体２とは簡易にねじ結合によって互いに取り付けられる関係にある。なお、掛け渡し部８は捕獲部５の強度を補強する機能を有する。
【００２４】
また、銛本体２の形状としては、捕獲対象の捕獲魚１７の大きさや習性等の特性に依存してより適するものがあるので、快適で効率的な漁をするためには形態の異なる複数の銛本体２を準備しておきその中から選択することが好ましい。
【００２５】
複数の銛本体２から適する銛本体２を使用する場合に、複数の銛本体２の各々に負ねじ８ａを有する掛け渡し部８を設けることによって、一つの棹部３を共通に用いるだけで適宜、より適する銛本体２を使用することが可能になる。
【００２６】
複数の銛本体２の他の銛本体２を図７に示す。  
図７に示す銛本体２の捕獲部５は、図１に示す円錐状の捕獲部５と異なり、３本の棒状の槍棒２５を有しており、槍棒２５の末端部には返し止め部２７を備えている。図７に示す捕獲部５は、図１に示す捕獲部５の場合と同様に、棹部３と結合するための掛け渡し部８を有する。図７に示す銛本体２は、図１に示すものに比べて形状が複雑であるのでより製造コストがかかるが、相対的に重さを軽くして形成することができるので、全体をより大きく形成することも可能である。また、図７に示す銛本体２では、返し止め部２７を有するので捕獲魚１７を突き刺したら離れにくく、また、捕獲部５は３本の棒状の槍棒２５からなるので、補角魚１７へ刺し込む抵抗を低くすることができ、大型の捕獲魚１７の捕獲に適する。なお、図１に示す円錐状の捕獲部５では、捕獲部５が捕獲魚１７の体に円滑に刺されるのでその体を損傷する度合を低くできる。
【００２７】
また、複数の銛本体２には、餌部６の形状を釣り針状に湾曲させた形状等を含め、種々用意しておくのが好ましい。
【００２８】
棹部３はその先端部９のみが稠密な棒状に形成されており、棹部３の他の部位は空洞に形成されている。棹部３の先端部９には負ねじを有する貫通孔が形成されている。また、図２に示すように、ひも４の先端部は堅固な棒状の結合部１０の下端部にある輪１０ｂに結合されている。結合部１０には、棹部３の先端部９の負ねじに螺合する正ねじ１０ａが形成されている。
【００２９】
棹部３の長さは例えば３ｍ〜４ｍの長さを有し、ひも４は棹部３の長さに比べて十分の大きな長さを有する。ひも４には、操作者（漁をする者）の便宜のために旗１１等の目印が取り付けられている。操作者は、銛本体２及び棹部３を獲物魚１７に投射した後には、ひも４によって獲物魚１７及び銛本体２及び棹部３を回収する。
【００３０】
次に、銛本体２と棹部３とひも４との間の組み立て方法について説明する。  
まず、結合部１０の輪１０ｂにひも４を結合し、結合部１０とひも４とを棹部３の内側を通し、結合部１０の正ねじ１０を棹部３の先端部９の負ねじに螺合し、まず、棹部３と結合部１０とひも４とを一体的に組み立てる。
【００３１】
次に、棹部３の正ねじ３ａを掛け渡し部８に螺合して、一体的に組み立てられた棹部３、結合部１０及びひも４を銛本体２に取り付ける。
【００３２】
図６に、海中の操作者１５が岩陰にいる獲物魚１７の捕獲を試みる状態を示す。
【００３３】
操作者１５は捕獲することを望みまた捕獲の可能性のある捕獲魚１７を想定し、複数の銛本体２から適する銛本体２を選択し、また適当な餌魚１６を準備する。そして、餌魚１６が銛本体２の餌部６に取り付けられ、操作者１５は獲物魚１７に接近する。獲物魚１７は、餌魚１６の血臭さ等を感知することによって、銛本体２の捕獲部５に警戒しつつも積極的に接近する。操作者１５はタイミングを計って銛本体２及び棹部３を捕獲魚１７に向かって投射することによって捕獲魚１７を捕獲することができる。
【００３４】
上述のように、餌魚１６を銛本体２の餌部６に取り付けて操作者１５が獲物魚１７に接近することによって、獲物魚１７を捕獲可能なタイミングの頻度が増すのでよりスリリング感に満ちて捕獲作業を楽しむことができ、また捕獲量を増すことができる。
【００３５】
次に、図５を参照して、本願発明の他の実施形態に係る魚捕獲用銛２１について説明する。  
魚捕獲用銛２１は、銛本体２２と銃身体２３と棹部２４とひも２７とを備えている。銛本体２２は銃身体２３の先端側に連結されており、図１等に示した場合と同様の捕獲部５と餌部６とを備えている。銃身体２３は内部に駆動手段として駆動用バネ２５を配設されており、銃身体２３の下側には駆動用バネ２５の圧縮または解放を操作するためのスイッチ部２６が設けられている。棹部２４は、銃身体２３の先端から後端へ貫通して設けられており、銃身体２３の内部で駆動用バネ２５に連結されている。銃身体２３の外側にある棹部２４の先端部と銃身体２３とは、ひも２７によって連結されている。
【００３６】
図５に示す魚捕獲用銛２１では、駆動用バネ２５が圧縮されるとともに棹部２４が銃身体２３の末端側へ最も長く引き出されており、投射待ちの状態を示す。操作者１５がひも２７と銃身体２３を保持した状態でスイッチ部２６を操作者が指でピストルを発射するように引くと、銛本体２２及び棹部２４が銃身体２３から図５の左方へ投射される。銃身体２３から投射された棹部２４はその後端部が銃身体２３内に残る。再び銛本体２２及び棹部２４の投射を試みるために投射待ちの状態に戻す場合には、棹部２４を駆動用バネ２５に抗して左方へ引くようにすればよい。
【００３７】
本実施の形態によれば、餌部６に餌魚１６を取り付けて補角魚１７を誘い出し、スイッチ部２６を操作するだけで、操作者１５は銛本体２２及び棹部２４を捕獲魚１７へ投射することが可能になる。
【００３８】
なお、駆動手段としては駆動用バネ２５に限らず、他の手段、電気的手段等を用いることも可能である。
【符号の説明】
【００３９】
１  魚捕獲用銛
２、２２  銛本体
３、２４  棹部
３ａ  正ねじ
４、２７  ひも
５  捕獲部
６  餌部
７  返し止め部
８  掛け渡し部
８ａ  負ねじ
１６  餌魚
１７  捕獲魚
２３  銃身体
２５  駆動用バネ
２６  スイッチ部
【図１】
0005512778.tif 000002
【図２】
0005512778.tif 000003
【図３】
0005512778.tif 000004
【図４】
0005512778.tif 000005
【図５】
0005512778.tif 000006
【図６】
0005512778.tif 000007
【図７】
0005512778.tif 000008